(57)【要約】【課題】  二重床に対して間仕切壁を設置した際に発生する隙間Ｗ1を埋める隙間仕舞具を開発し、この隙間仕舞具を用いた二重床を提供する。【解決手段】  基礎床１に設置する際用支柱５と床パネル３表面に倣う際用部材６とからなり、際用支柱５は基礎床１から接地するネジ棒5bと、このネジ棒5bに設けた載置板5gとからなり、前記載置板5gは間仕切壁４に隣接する床パネル３のこの間仕切壁４に直近な側縁又は隅部を載せ、床パネル３をネジ棒5bにより支持し、際用部材６は床パネル３表面に倣う表面板6cと、前記際用支柱５の載置板5gに載せて支持される裏面板6aとからな隙間仕舞具を用いて、二重床を構成する。【選択図】  図１
2005105540.tif 000002
【特許請求の範囲】
【請求項１】
基礎床から立設する間仕切壁と、基礎床に敷設する床パネルの前記間仕切壁に直近の側縁との隙間Ｗ1を埋める隙間仕舞具であって、基礎床に設置する際用支柱と床パネル表面に倣う際用部材とからなり、際用支柱は基礎床に接地する支柱本体と、該支柱本体に設けた載置部とからなり、前記載置部は間仕切壁に隣接する床パネルの該間仕切壁に直近な側縁又は隅部を載せ、床パネルを支柱本体により支持し、際用部材は床パネル表面に倣う表面部と、前記際用支柱の載置部に載せて支持される裏面部とからなり、前記表面部を隙間Ｗ1以下の隙間仕舞幅Ｗ5の平面視略長方形とし、間仕切壁に隣接する床パネルの該間仕切壁に直近の側縁から前記床パネルに直近の表面部の側縁までの床パネル側隙間Ｗ2と、間仕切壁に直近の表面部の側縁から間仕切壁までの壁側隙間Ｗ4とを、いずれも許容幅Ｗc以下にする範囲で裏面部を際用支柱の載置部に載せることにより、際用部材を際用支柱間に架け渡し、間仕切壁に隣接する床パネルの該間仕切壁に直近な側縁に沿って該床パネル表面に表面部を倣わせて隙間Ｗ1を埋めてなる隙間仕舞具。
【請求項２】
際用部材は、床パネル側隙間Ｗ2及び壁側隙間Ｗ4がいずれも許容幅Ｗc以下となる範囲で、裏面部を間仕切壁に対して接近離反自在に際用支柱の載置部に載せてなる請求項１記載の隙間仕舞具。
【請求項３】
際用部材は、隙間仕舞幅Ｗ5の平面視略長方形の表面板である表面部と、際用支柱の載置面に接面する裏面板である裏面部とを、繋ぎ部により平行に接続してなり、際用支柱の載置面に突設した係合部を裏面板に開口した装着孔に嵌合して前記支持面に接面することにより、際用部材を際用支柱に係合支持してなる請求項１記載の隙間仕舞具。
【請求項４】
際用部材は、繋ぎ部が折返面板で、表面板、折返面板及び裏面板からなる略Ｃ型断面のチャンネル部材からなる請求項３記載の隙間仕舞具。
【請求項５】
際用部材は、装着孔が間仕切壁に対して該際用部材が接近離反する方向の長孔であり、際用支柱の載置面に突設した係合部に対して前記装着孔の範囲で、間仕切壁に対して接近離反自在に該際用支柱に係合支持されてなる請求項３記載の隙間仕舞具。
【請求項６】
際用部材は、引き起こすことにより表面板の幅を隙間仕舞幅Ｗ5より拡大する折曲面板を、表面板の床パネル側端縁から下方に向けて延設してなる請求項３記載の隙間仕舞具。
【請求項７】
際用部材は、床パネルの周縁フランジ下方に潜り込む拡大面板を、表面板の床パネル側端縁から延設してなる請求項３記載の隙間仕舞具。
【請求項８】
際用部材は、拡大面板が段差部を介して表面板から延設することにより、該表面板より低くしてなる請求項７記載の隙間仕舞具。
【請求項９】
際用部材は、引き起こすことにより拡大面板の幅を拡大する折曲面板を、該拡大面板の床パネル側端縁から下方に向けて延設してなる請求項７記載の隙間仕舞具。
【請求項１０】
際用部材は、引き下げることにより拡大面板の幅を縮小する折曲面板を、該拡大面板の床パネル側端縁から延設してなる請求項７記載の隙間仕舞具。
【請求項１１】
基礎床から立設する間仕切壁の幅に相当する間仕切溝を任意の床パネル間に確保して構成する二重床であって、間仕切溝の両側に沿って基礎床に設置する際用支柱と、際用支柱の間仕切溝から反対側の基礎床に設置する標準支柱と、前記際用支柱又は標準支柱に側縁又は隅部を支持されて基礎床上に敷き詰める床パネルと、間仕切溝に隣接する床パネルの該間仕切溝に直近な側縁に沿って際用支柱間に架設する際用部材と、間仕切溝を挟んで対向する際用部材間へ着脱自在に装着する溝蓋とからなり、際用部材は床パネル表面に倣う表面部と、前記際用支柱に載せて支持される裏面部とからなり、前記表面部を溝蓋を取り除いて開口する間仕切溝の範囲で基礎床から立設した間仕切壁と該間仕切壁に隣接する床パネルとの間に形成される隙間Ｗ1以下の隙間仕舞幅Ｗ5の平面視略長方形とし、間仕切壁に隣接する床パネルの該間仕切壁に直近の側縁から前記床パネルに直近の表面部の側縁までの床パネル側隙間Ｗ2と、間仕切壁に直近の表面部の側縁から間仕切壁までの壁側隙間Ｗ4とを、いずれも許容幅Ｗc以下にする範囲で裏面部を際用支柱の載置部に載せることにより、際用部材を際用支柱間に架け渡し、間仕切壁に隣接する床パネルの該間仕切壁に直近な側縁に沿って該床パネル表面に表面部を倣わせて隙間Ｗ1を埋めてなる二重床。
【請求項１２】
際用部材は、床パネル側隙間Ｗ2及び壁側隙間Ｗ4がいずれも許容幅Ｗc以下となる範囲で、裏面部を間仕切壁に対して接近離反自在に際用支柱の載置部に載せてなる請求項11記載の二重床。
【請求項１３】
溝蓋は、間仕切溝に略等幅な平面視長方形の覆蓋部と、該覆蓋部から垂下して床パネル側隙間Ｗ2に嵌入する一対の掛止片とからなる請求項11の二重床。
【請求項１４】
際用部材は、表面部が床パネルの上面と溝蓋の上面とが面一になるよう覆蓋部を支持してなる請求項11の二重床。
【発明の詳細な説明】
【技術分野】
【０００１】
本発明は、二重床を敷設したオフィスのレイアウト変更やテナントの入れ替わりに対応して、基礎床から立設した間仕切壁とこの間仕切壁に直近の床パネルとの隙間Ｗ1を埋める隙間仕舞具と、この隙間仕舞具を用いて任意の床パネル間に間仕切溝を確保して構成できる二重床とに関する。
【背景技術】
【０００２】
基礎床上に標準支柱を用いて敷設した床パネルからなる二重床施工後、レイアウト変更やテナントの入れ替わりに伴って、間仕切壁を新設、移設又は撤去する場合、通常、二重床上に間仕切壁を設置することで、前記間仕切壁の簡単な新設、移設又は撤去を図ることができる。しかし、床パネル下の床下空間は間仕切壁を越えて繋がっているため、防音性に劣るとされている。
【０００３】
そこで、図15に見られるように、基礎床40上に標準支柱41を用いて敷設した床パネル42を、間仕切壁43の設置ラインに沿って一列抜き取り、このスペースに基礎床40から間仕切壁43を立設し、床下空間も遮断して防音性を上げることが知られている。この場合、間仕切壁43が通常150〜200mm厚であるのに対し、床パネル42は一般に500mm又は600mm角の正方形であるから、間仕切壁43と床パネル42,42との間に、各々150〜175mm(500mm角の床パネル)又は200〜225mm(600mm角の床パネル)ずつの隙間Ｗ1が発生する。このため、隙間Ｗ1に合わせて抜き取った床パネル42を切断してカットパネル44とし、このカットパネル44を間仕切壁43に沿って設置した際用支柱45に載せて隙間Ｗ1を塞ぎ、最後にカーペット46等の表面仕上げ材を上面に貼着して仕上げている。
【０００４】
このほか、この隙間Ｗ1を塞ぐ手段として、抜き取った床パネルに代えて、切断性のよい木質系の調整板を切断する場合がある(例えば特許文献１)。また、金属製としながらも切断作業を省略するため、一端が間仕切壁に当接し、他端が床パネル上に載せられる床板部と、この床板部の一端部分の裏面に一体に設けられ、下端が床面に接地して床板部を支える標準支柱部とからなる二重床用端部部材を用いることもある(例えば特許文献２)。
【０００５】
【特許文献１】実開平02-71737号公報(３〜６頁、図１)
【特許文献２】実公平07-12536号公報(２頁、図１)
【発明の開示】
【発明が解決しようとする課題】
【０００６】
図15に見られる二重床の構成や、特許文献１に見られる調整板は、隙間Ｗ1に合わせてカットパネル44や調整板を切断する作業が非常に手間であるほか、切断作業に伴う騒音や粉塵の問題も発生することから、改装工事の場合では、他の入居者との関係で昼間に工事できないケースも見られる問題がある。また、切断した調整板の残材は廃棄物となるし、壁際に新たに際用支柱を設置する手間や費用もかかる。更に、間仕切壁を撤去して現状復帰しようとすると、床パネルを切断したカットパネル44を用いる場合には新たな床パネルが必要となるし、床パネルに代えて調整板を用いた場合でも、保管コストの観点から、通常撤去した多数の床パネルを保管しておくことがないため、やはり新しい床パネルを要することになる。
【０００７】
特許文献２の二重床の構成は、カットパネルや調整板の切断作業が不要になる利点を有するが、間仕切壁を設置するために抜き取った床パネルに代えて新たに壁際専用部材を手配して設置する必要があり、当然コストも嵩む。また、床パネル表面に端部部材の床板部を載置しているため、端部部材の床板部表面と床パネル表面との間に段差が生じて見苦しく、間仕切壁設置に際して撤去した床パネルの保管問題も依然として残る。そこで、二重床に対して間仕切壁を設置した際に発生する隙間Ｗ1を埋めるため、床パネルの切断作業や新たな壁際専用部材の手配や設置を不要にする隙間仕舞具を開発し、次いで前記隙間仕舞具を用い、間仕切壁を撤去した後の現状復帰を容易にする新しい二重床を開発するため、検討した。
【課題を解決するための手段】
【０００８】
検討の結果開発したものが、基礎床から立設する間仕切壁と、基礎床に敷設する床パネルの前記間仕切壁に直近の側縁との隙間Ｗ1を埋める隙間仕舞具であって、基礎床に設置する際用支柱と床パネル表面に倣う際用部材とからなり、際用支柱は基礎床から接地する支柱本体と、この支柱本体に設けた載置部とからなり、前記載置部は間仕切壁に隣接する床パネルのこの間仕切壁に直近な側縁又は隅部を載せ、床パネルを支柱本体により支持し、際用部材は床パネル表面に倣う表面部と、前記際用支柱の載置部に載せて支持される裏面部とからなり、前記表面部を隙間Ｗ1以下かつ(隙間Ｗ1−２×許容幅Ｗc)以上の隙間仕舞幅Ｗ5の平面視略長方形とし、間仕切壁に隣接する床パネルのこの間仕切壁に直近の側縁から前記床パネルに直近の表面部の側縁までの床パネル側隙間Ｗ2と、間仕切壁に直近の表面部の側縁から間仕切壁までの壁側隙間Ｗ4とを、いずれも許容幅Ｗc以下にする範囲で裏面部を際用支柱の載置部に載せることにより、際用部材を際用支柱間に架け渡し、間仕切壁に隣接する床パネルのこの間仕切壁に直近な側縁に沿ってこの床パネル表面に表面部を倣わせて隙間Ｗ1を埋める隙間仕舞具である。
【０００９】
本発明の隙間仕舞具は、床パネル及び隙間仕舞具の間に発生する床パネル側隙間Ｗ2と、隙間仕舞具及び間仕切壁の間に発生する壁側隙間Ｗ4とが、いずれも許容幅Ｗc以下になるように、隙間Ｗ1以下かつ(隙間Ｗ1−２×許容幅Ｗc)以上の隙間仕舞幅Ｗ5の表面部により間仕切壁と床パネルの間仕切壁に直近の側縁との隙間Ｗ1を埋める。これにより、従来に比べて埋めることのできる隙間Ｗ1の大きさを大きくすることができる。ここで、Ｗcは、要求される二重床の仕様に応じて決定されるが、通常のオフィスフロアでは、女性のハイヒール(特にピンヒール)の踵が落ち込まない最大値＝８mmを目安に決定する。
【００１０】
更に、上記際用部材は、(1)床パネル側隙間Ｗ2が許容幅Ｗc以下となる範囲で、裏面部を間仕切壁に対して接近離反自在に際用支柱の載置部に載せる構成、(2)壁側隙間Ｗ4が許容幅Ｗc以下となる範囲で、裏面部を間仕切壁に対して接近離反自在に際用支柱の載置部に載せる構成、又は(3)床パネル側隙間Ｗ2及び壁側隙間Ｗ4がいずれも許容幅Ｗc以下となる範囲で、裏面部を間仕切壁に対して接近離反自在に際用支柱の載置部に載せる構成にすると、隙間Ｗ1をその大きさに合わせて埋めることができる。裏返せば、設置できる間仕切壁の幅に自由度を持たせることができる。
【００１１】
具体的な隙間仕舞具は、際用部材が、隙間仕舞幅Ｗ5の平面視略長方形の表面板である表面部と、際用支柱の載置面に接面する裏面板である裏面部とを、繋ぎ部により平行に接続してなり、際用支柱の載置面に突設した係合部を裏面板に開口した装着孔に嵌合して前記支持面に接面することにより、際用部材を際用支柱に係合支持する構成を例示できる。この隙間仕舞具は、際用部材の表面部が隙間Ｗ1を埋め、際用支柱の係合部により係合支持された裏面部が連結部を介して表面部を安定して支持する。
【００１２】
上記隙間仕舞具における際用部材は、表面部、裏面部及び連結部の３部材を別部材として、すべてを組み付けて構成してもよいが、繋ぎ部が折返面板で、表面板、折返面板及び裏面板からなる略Ｃ型断面のチャンネル部材から構成すると、本発明に適した際用部材を簡単に得ることができる。このほか、本発明に適した際用部材として、同様に繋ぎ部が折返面板からなる略Ｚ型断面のチャンネル部材や、表面板と裏面板とを別部材の連結部(板又は棒)で連結した略Ｈ型断面又は略Ｉ型断面の構造部材を例示できる。
【００１３】
ここで、上記際用部材は、装着孔が間仕切壁に対してこの際用部材が接近離反する方向の長孔であり、際用支柱の載置面に突設した係合部に対して前記装着孔の範囲で、間仕切壁に対して接近離反自在にこの際用支柱に係合支持される構成にすると、幅の異なる間仕切壁による異なる隙間Ｗ1に対応して、表面板(表面部)を位置調節できるようになる。
【００１４】
このほか、表面部自体の大きさを適宜短縮したり、延長できるようにすることで、更に大きな隙間Ｗ1を埋めることができる。こうした際用部材の具体的構成としては、(a)引き起こすことにより表面板の幅を隙間仕舞幅Ｗ5より拡大する折曲面板を、表面板の床パネル側端縁から下方に向けて延設した構成や、(b)床パネルの周縁フランジ下方に潜り込む拡大面板を、表面板の床パネル側端縁から延設した構成を例示できる。ここで、前記(b)構成では、(b-1)拡大面板が段差部を介して表面板から延設することにより、この表面板より低くしたり、(b-2)引き起こすことにより拡大面板の幅を拡大する折曲面板を、この拡大面板の床パネル側端縁から下方に向けて延設したり、(b-3)引き下げることにより拡大面板の幅を縮小する折曲面板を、表面板の床パネル側端縁から延設すると、埋めることのできる隙間Ｗ1の範囲を更に拡げることができる。
【００１５】
こうした隙間仕舞具を用いることによって、基礎床から立設する間仕切壁の幅に相当する間仕切溝を任意の床パネル間に確保して構成する二重床を容易に実現できる。この二重床は、間仕切溝の両側に沿って基礎床に設置する際用支柱と、際用支柱の間仕切溝から反対側の基礎床に設置する標準支柱と、前記際用支柱又は標準支柱に側縁又は隅部を支持されて基礎床上に敷き詰める床パネルと、間仕切溝に隣接する床パネルのこの間仕切溝に直近な側縁に沿って際用支柱間に架設する際用部材と、間仕切溝を挟んで対向する際用部材間へ着脱自在に装着する溝蓋とからなり、際用部材は床パネル表面に倣う表面部と、前記際用支柱に載せて支持される裏面部とからなり、前記表面部を溝蓋を取り除いて開口する間仕切溝の範囲で基礎床から立設した間仕切壁とこの間仕切壁に隣接する床パネルとの間に形成される隙間Ｗ1以下かつ(隙間Ｗ1−２×許容幅Ｗc)以上の隙間仕舞幅Ｗ5の平面視略長方形とし、間仕切壁に隣接する床パネルのこの間仕切壁に直近の側縁から前記床パネルに直近の表面部の側縁までの床パネル側隙間Ｗ2と、間仕切壁に直近の表面部の側縁から間仕切壁までの壁側隙間Ｗ4とを、いずれも許容幅Ｗc以下にする範囲で裏面部を際用支柱の載置部に載せることにより、際用部材を際用支柱間に架け渡し、間仕切壁に隣接する床パネルのこの間仕切壁に直近な側縁に沿ってこの床パネル表面に表面部を倣わせて隙間Ｗ1を埋めた構成である。
【００１６】
上記二重床でも、(a)床パネル側隙間Ｗ2が許容幅Ｗc以下となる範囲で、裏面部を間仕切壁に対して接近離反自在に際用支柱の載置部に載せる、(b)壁側隙間Ｗ4が許容幅Ｗc以下となる範囲で、裏面部を間仕切壁に対して接近離反自在に際用支柱の載置部に載せる、(c)床パネル側隙間Ｗ2及び壁側隙間Ｗ4がいずれも許容幅Ｗc以下となる範囲で、裏面部を間仕切壁に対して接近離反自在に際用支柱の載置部に載せる構成にすれば、大きさの異なる隙間Ｗ1に対応できる二重床を提供できる。このほか、溝蓋は、対向する際用部材間に掛け渡して載せる平板で構成してもよいが、際用部材が床パネルとの間に形成する床パネル側隙間Ｗ2を利用して、位置固定するとよい。こうした具体的な溝蓋は、間仕切溝に略等幅な平面視長方形の覆蓋部と、この覆蓋部から垂下して床パネル側隙間Ｗ2に嵌入する一対の掛止片とからなる構成である。
【発明の効果】
【００１７】
本発明によれば、所定の床パネル間に間仕切壁の幅に相当する間仕切溝を確保して床パネルを敷設する二重床を容易に構築できるようになる。具体的には、間仕切溝は、間仕切溝を塞ぐ溝蓋を取り外すだけで、容易に形成できる。また、この間仕切溝より小さい幅の間仕切壁を基礎床から立設した場合にできる床パネルと間仕切壁との隙間Ｗ1は、別途特別な部材を必要とせず、予め設置しておいた隙間仕舞具で容易に埋めることができる。これから、本発明は、防音性の高い基礎床に立設する間仕切壁の新設又は移設が容易に実現できるようにし、レイアウト変更やテナントの入れ替わりによっても、快適なオフィス空間の提供を可能にする効果をもたらす。
【発明を実施するための最良の形態】
【００１８】
以下、本発明の実施形態について図を参照しながら説明する。図１は本発明の二重床の斜視図、図２は際用部材と際用支柱との関係を表した斜視図、図３は二重床を施工した部屋の平面図、図４は二重床の平面図、図５は図４中Ａ−Ａ断面図、図６は間仕切壁を設置した状態を表す図４中Ａ−Ａ断面相当図、図７は際用部材のスライドの様子を表した図４中Ｂ−Ｂ断面図である。
【００１９】
本発明の二重床は、施工後、床上空間を仕切る間仕切壁を基礎床から容易に立設できるようにする。具体的には、基礎床１に設置する標準支柱２と、標準支柱２に載置して敷き並べる床パネル３と、床パネル３間に所定間隔で形成した間仕切溝４と、前記標準支柱２に代えて間仕切溝４の両側に設置した際用支柱５と、際用支柱５間に架設する際用部材６と、際用部材６間に載置して間仕切溝４を覆う溝蓋７とから構成される。ここで、本例は、２基の際用支柱５,５と、この際用支柱５,５間に架設する際用部材６とが、隙間仕舞具を構成する。間仕切壁８は、溝蓋７を取り外した間仕切溝４内に基礎床１から立設する。
【００２０】
標準支柱２は、基礎床１に接着固定して、４枚の床パネル３のコーナー集合箇所をまとめて支持する独立タイプのもので、本体を構成するボルトを調整することによって、床パネル３の高さを調整可能に支持する。この標準支柱２の上部には、床パネル３を押圧固定するパネル押え９が螺合され、床パネル３は標準支柱２に対して強固に固定される。床パネル３は、一辺500mmの平面視略正方形の鋼板製パネルからなり、図７に見られるように、上板3a及び下板3bをカシメ部3cでかしめ結合しているほか、周縁フランジ3dでもかしめ結合することにより、全体として一体化している。各床パネル３は、隅部(角部の先端部分)を切り欠いて低段部3eを設けており、４枚の床パネル３をそれぞれの隅部で突き合わせて、各低段部3eに囲まれて形成される孔から挿入した前記パネル押え９を標準支柱２に螺合させることで、標準支柱２に対して床パネル３を４枚単位で固定する。
【００２１】
間仕切溝４は、任意の床パネル３間を離隔して形成する空間であって、間仕切壁８を基礎床１から立ち上げ設置するのに必要な幅を確保する。例えば、約160mm幅の間仕切壁８に対しては、対向する床パネル３同士の間隔、すなわち間仕切溝４の幅を約200mmとする。本発明の二重床は、図３に見られるように、常設壁10で四方を囲まれた長方形の部屋(横長スペース)に対し、10枚の床パネル３(約５ｍ)毎に、前記部屋を長手方向に区切って前記間仕切溝４を設け、常態として各間仕切溝４を溝蓋７で閉蓋して構成する。前記二重床の構成は、小規模事務所が入居するテナントビルを想定しており、全間仕切溝４に間仕切壁８を設置した場合、間口５ｍ、奥行き15ｍの分割スペース13に５分割できる。
【００２２】
際用支柱５は、間仕切溝４に沿って、床パネル３同士の突合せ箇所に対応して基礎床２に設置し、２枚の床パネル３の隅部集合箇所をまとめて支持する。本例の際用支柱５は、基礎床１に接着固定するベース5aと、ベース5ａから一体に立設したネジ棒5bと、ネジ棒5bに螺合した支持ナット5cと、支持ナット5c上に載置して床パネル３を支持する支持体5dとから支柱本体を構成する。支持体5dは、ネジ棒5bを挿入して収容する挿通孔5eを貫通させた筒部5fを上端に有し、この筒部5f外周に載置板(載置部)5gを溶接により取り付けている。ネジ棒5bは、支持ナット5cの下に緩み止めナット5hを螺合してあり、支持ナット5cに対して締め付けて、緩みによって支持体5dの高さが狂わないようにしている。
【００２３】
際用部材６は、２本の際用支柱５間に架け渡して支持される長さの裏面板6a、折返面6j及び表面板6cからなるＣ型断面のチャンネル材である。本例の際用部材６は、支持される際用支柱５から両端を延設し、隣の床パネル３の辺中央位置に位置する約１ｍの長さ(床パネル３の２枚分の長さ)に設定している。表面板6cは、床パネル３と間仕切壁８との隙間Ｗ1を埋める隙間仕舞幅Ｗ5の平面視略長方形である。前記隙間仕舞幅Ｗ5は、隙間Ｗ1以下かつ(隙間Ｗ1−２×許容幅Ｗc)以上の大きさで、隙間Ｗ1を20mm、許容幅Ｗcを８mmとすれば、４〜16mmの範囲で決定できる。
【００２４】
裏面板6aは、際用支柱５に合わせた位置に装着孔(長孔)6bを開口し、この装着孔6bに際用支柱５の筒部5fを挿入して係合され、際用支柱５の載置板5gに接面、支持される。折返面6jは、前記裏面板6aの間仕切溝４側を上方へ90度折り曲げられて形成され、表面板6cは、更に折返面6jから床パネル３側へ90度折り返して水平に形成されている。また、裏面板6aの床パネル側は、床パネル３と際用支柱５の載置板5gとに挟持され、位置固定されるようになっている。
【００２５】
溝蓋７は、対向する際用部材６の表面板6c,6c間に架け渡し、間仕切溝４を覆って塞ぐ。本例の溝蓋７は、床パネル３と目地を揃えてパネル押え９で際用支柱５に押圧固定するため、床パネル３の一辺に等しい長さを有しているが、床パネル３の一辺より長く、例えば際用部材６と同じ長さに設定してパネル押え９で押圧固定しても構わない。本例の溝蓋７は、ほぼ全域に亘って形成された平坦な覆蓋部7aの長辺から90度下方に折り曲げて係止片7bを垂下させた構造で、際用部材６の表面板6cと床パネル３との間の床パネル側隙間Ｗ2に前記係止片7bを差し込むことにより、位置決めすると共に、際用部材６の表面板6c上に溝蓋７の覆蓋部7a両端を載置する。これから、際用部材６の表面板6cの高さは、溝蓋７と床パネル３の表面部が面一になるように、床パネル３表面から溝蓋７における覆蓋部7aの厚みだけ低く設定している。際用部材６は、表面板6cにより溝蓋７をほぼ全長にわたって支持する構造であるから、溝蓋７の補強の役割を有し溝蓋７の薄板化にも貢献している。また本例の溝蓋７は、隅部の先端を切り欠いた円周状の低段部7cを設け、溝蓋７と床パネル３との各隅部を突き合わせた際、溝蓋７の低段部7cと床パネル３の低段部3eとを同時に、一つのパネル押え９で押圧固定されるようにし、溝蓋７と際用部材６や、際用部材６と際用支柱５との間にガタ付きが生じないようにしている。その他、覆蓋部7aの短辺には90度下方に折り曲げて補強片7dを垂下させている。
【００２６】
間仕切壁８は、図６に見られるように、溝蓋７を取り外して間仕切溝４から覗く基礎床１から立設する。ここで、床パネル３と溝蓋７とを面一にすることで、溝蓋７を取り外した後、際用部材６の表面板6cと床パネル３表面との間に形成される僅かな段差は、表面板6c表面に貼着したCR(ネオプレン)ゴム等の充填材11で補うとよい。この僅かな段差は、壁際のために人が踏み付けることもなく、カーペット12等の表面仕上げ材で覆われて隠れる(図６の状態)ことから、充填材11は特に表面板6cに貼着する必要はないが、より奇麗な仕上がりを求める場合に用いるとよい。取り外した溝蓋７は、幅も小さく厚みも薄いため、間仕切壁８に直近の床パネル３の床下空間内に保管しておき、間仕切壁８を撤去して間仕切溝４を塞ぐ場合に再度使用できる。
【００２７】
間仕切壁８は、際用部材６,６間(本例では160mm)に合わせて設定すれば、床パネル３と間仕切壁８との隙間Ｗ1を際用部材６でほぼ完全に埋めることができ、床パネル３と間仕切壁８との間に大きな隙間は生じない。ところが、間仕切壁８の厚さは施工誤差によってばらつくので、間仕切壁８と際用部材６との間にハイヒールの踵が落ち込んでしまう危険性のある８mm以上の隙間Ｗ1が生じる虞れがある。この場合、前記隙間Ｗ1がいくら壁際にあるとしても、ハイヒールの踵が落ち込んでしまう可能性が否定できない。そこで、本例の際用部材６は、間仕切壁８に対して接近離反自在に位置調節できるように、際用支柱５に載置している。具体的には、長孔である装着孔6b内に挿入された際用支柱５の筒部5fと前記装着孔6bとの係合により、装着孔6bの延設範囲内で、際用部材６が間仕切壁８に対して接近離反する。
【００２８】
際用部材６の位置調整範囲Ｗ3は、図７に見られるように、床パネル側隙間Ｗ2が溝蓋７の係止片7bが挿入可能な約４mm(＝溝蓋挿入隙間)となる位置(最も際用部材６が床パネル３側に接近した位置)から、前記床パネル側隙間Ｗ２がハイヒールの踵が落ち込まない程度の約８mmとなる位置(最も際用部材６が床パネル３から遠ざかった位置)までとしている。すなわち、本例の際用部材６の位置調整量Ｗ3は約４mmとなる。また、壁側隙間Ｗ4は、ハイヒールの踵が落ち込まない限度(＝８mm)まで大きくなっても実際上安全性に問題はないから、最大８mmにできる。これから、間仕切壁８の厚さは、間仕切溝４の片側で位置調整量Ｗ3＋壁側隙間Ｗ4＝12mm、両側では24mmまで許すことができる。
【００２９】
図８は際用部材６の他の実施例の位置調整の様子を表した断面図である。本例は、床パネル３の周縁フランジ3dの下面に潜り込ませる拡大面板6kを表面板6cから延設し、より大きな隙間Ｗ1を埋めることができるようにした例である。本例の表面板6cは、際用部材６が床パネル３に最も接近した状態で、延設した拡大面板6kが床パネル３の側壁3fに略当接する位置まで床パネル３の周縁フランジ3dの下面に潜り込ませることができる（図８中二点鎖線で示した状態）。際用部材６が床パネル３から最も遠ざかった状態で、床パネル側隙間Ｗ2がハイヒールの踵が落ち込まない程度の約８mmとなるよう設定している点は上記例と同じであるが、拡大面板6kの長さ＝約20mmだけ、表面板6cの位置調整範囲Ｗ3を大きくしている。
【００３０】
図９は際用部材６の他の実施例の斜視図、図10は際用部材６の位置調整の様子を表した断面図である。本例の際用部材６は、表面板6cの床パネル３側端縁から下向きに延長して折曲片6dを垂下させている。表面板6cと折曲片6dとの境界となる折曲縁には、複数のスリット6eを形成してあり、ペンチ等の工具を使った折曲片6dの引き起こしを容易にしている。また、折曲片6dには、前記折曲縁に至る切込み6fを一定間隔で形成してあり、曲げ戻しも容易にしている。本例の際用部材６は、折曲片6dを垂下させたまま、床パネル側隙間Ｗ2が溝蓋７の係止片7bが挿入可能な約４mmとなる位置まで、床パネル３側に接近させることができる。また、際用部材６は、折曲片6dを水平に引き起こし、床パネル側隙間Ｗ2がハイヒールの踵が落ち込まない程度の約８mmになるまで、床パネル３から遠ざけることができる。これは、本例の位置調整範囲Ｗ3が、表面板6cを曲げ戻した折曲片6dの長さ＝約８mm分だけ、上記実施例に比べて更に大きくなっていることを意味する。折曲片6dの長さを約８mmに設定したのは、際用部材６を床パネル３側に最も接近させた状態から床パネル側隙間Ｗ2が約８mmになるまで床パネル３から遠ざけた時に折曲片6dを水平に引き起こしできるようにして、際用部材６がどの位置にあっても８mm以上の床パネル側隙間Ｗ2を生じさせないようにするためである。このほか、壁側隙間Ｗ4は、ハイヒールの踵が落ち込まない８mmに設定する。
【００３１】
図11は際用部材６の他の実施例の位置調整の様子を表した断面図である。本例は、上記各例を組み合わせた構成で、際用部材６の位置調整範囲Ｗ3を更に大きくしている。床パネル側隙間Ｗ2は、際用部材６が床パネル３から最も遠ざかった位置で、ハイヒールの踵が落ち込まない程度の約８mmとなるよう設定する。表面板6cは、床パネル３側に向かって床パネル３の周縁フランジ3dの下面に潜り込ませる拡大面板6kを延設し、更に拡大面板6kは床パネル３側に向かってスリット6eを介して下方に折り曲げ可能な折曲片6dを延設している。この折曲片6dは、際用部材６を床パネル３側に最も接近させて折曲片6dと拡大面板6kの一部を床パネル３の周縁フランジ3dの下面側に重ねたときに、床パネル３の側壁3fとの干渉を避けるため下方へ折り曲げる。こうして、本例の位置調整範囲Ｗ3は、折り曲げた折曲片6dの幅(８mm)に拡大面板6kの一部を床パネル３の周縁フランジ3dの下面に重合させて延長した幅(18mm)を加えた約28mmだけ増加している。
【００３２】
図12は際用部材６の他の実施例の斜視図である。本例は、際用部材６の裏面板6aに新たに設けた長孔6gに通したビス6hを際用支柱５の載置板5gに設けたネジ孔5iに捩じ込み、際用部材６の浮き上がりを防止している。この長孔6gも、装着孔6bの長孔と同様に間仕切壁８に対して際用部材６が接近離反する方向に延設されていて、これにより、際用部材６を間仕切溝４側へ寄せたときに、際用部材６の重心が際用支柱５の載置板5gから外れた場合でも、裏面板6aが載置板5gから浮き上がって脱落することを防止できる。こうした際用部材６の脱落防止は、二重床の施工中やメンテナンス等で、床パネル３や溝蓋７を取り外した際に有効である。
【００３３】
図13及び14は際用部材６の他の実施例の斜視図である。本例も、際用部材６を間仕切溝４側に向けて位置調整させたとき、重心が際用支柱５の載置板5gから外れて浮き上がるのを防止する例である。際用部材６は、間仕切溝４側に向けて接近させると際用支柱５の載置板5gの両側及び両側の裏面を抱きかかえる一対のアーム6iを有している。これにより、際用部材６は際用支柱５と一体化している。この際用部材６は、床パネル３側へ最大限引き寄せることにより載置板5gとアーム6iとの係合が解除され、際用支柱５から上方へ引き抜いて取り外すことができる。
【図面の簡単な説明】
【００３４】
【図１】本発明の二重床の斜視図である。
【図２】際用部材と際用支柱の関係を表した斜視図である。
【図３】二重床を施工した部屋の平面図である。
【図４】二重床の平面図である。
【図５】図４中Ａ−Ａ断面図である。
【図６】間仕切壁８を設置した状態を表す図４中Ａ−Ａ断面相当図である。
【図７】際用部材のスライドの様子を表した図４中Ｂ−Ｂ断面図である。
【図８】際用部材の他の実施例のスライドの様子を表した断面図である。
【図９】際用部材の他の実施例の斜視図である。
【図１０】際用部材のスライドの様子を表した断面図である。
【図１１】際用部材の他の実施例のスライドの様子を表した断面図である。
【図１２】際用部材の他の実施例の斜視図である。
【図１３】際用部材の他の実施例の斜視図である。
【図１４】際用部材の斜視図である。
【図１５】従来の二重床における間仕切壁の設置状態を表した部分断面図である。
【符号の説明】
【００３５】
１  基礎床
２  標準支柱
３  床パネル
４  間仕切溝
５  際用支柱
６  際用部材
７  溝蓋
８  間仕切壁
Ｐ  配設ピッチ
Ｗ1  隙間
Ｗ2  床パネル側隙間
Ｗ3  位置調整範囲
Ｗ4  壁側隙間
Ｗ5  隙間仕舞幅
【図１】
2005105540.tif 000003
【図２】
2005105540.tif 000004
【図３】
2005105540.tif 000005
【図４】
2005105540.tif 000006
【図５】
2005105540.tif 000007
【図６】
2005105540.tif 000008
【図７】
2005105540.tif 000009
【図８】
2005105540.tif 000010
【図９】
2005105540.tif 000011
【図１０】
2005105540.tif 000012
【図１１】
2005105540.tif 000013
【図１２】
2005105540.tif 000014
【図１３】
2005105540.tif 000015
【図１４】
2005105540.tif 000016
【図１５】
2005105540.tif 000017